(57)【要約】【課題】光制御の機能を高めたフォトニック結晶を用いた光学素子、及びこの光学素子を用いた分光装置、集光装置を提供する。【解決手段】フォトニック結晶１においては、媒質２の屈折率、格子の周期などは一定であるが、空気穴３の大きさがｚ軸方向で徐々に変化している。振動数０．６１付近の光４は、結晶への入射時はほとんど直進するが、穴の大きさが小さくなるにつれて進行方向が変化していく。これに対して、振動数が大きくなるに従って、光の光路は５、６に示すように大きく屈曲するようになる。よって、微小な波長範囲の光に対して、大きな屈折角の変化を起こさせ、分解能良く分光を行うことができる。【選択図】　図３
2004126208.tif 000002
【特許請求の範囲】
【請求項１】
結晶内部において、少なくとも１軸方向に進むに従って、フォトニック結晶を構成する屈折率の異なる物質の構成比が徐々に変化するように構成されたフォトニック結晶による光学素子。
【請求項２】
結晶内部を光が進行するに従って、結晶軸に対する光の進行方向が所定の変化を生じるように構成されたフォトニック結晶による光学素子。
【請求項３】
請求項１又は請求項２に記載の光学素子を用いた分光装置。
【請求項４】
結晶内部において、少なくとも１軸方向に進むに従って、構造が徐々に変化するように構成されたフォトニック結晶を用いた分光装置。
【請求項５】
請求項３又は請求項４に記載の分光素子であって、分光の対象となる光が前記フォトニック結晶に入射する方向と、前記１軸とのなす角が４５°以下とされていることを特徴とする分光装置。
【請求項６】
請求項１又は請求項２に記載の光学素子を用いた集光装置。
【請求項７】
結晶内部において、少なくとも１軸方向に進むに従って、構造が徐々に変化するように構成されたフォトニック結晶を用いた集光装置。
【請求項８】
請求項６又は請求項７に記載の集光素子であって、集光の対象となる光が前記フォトニック結晶に入射する方向と、前記１軸とのなす角が４５°以上とされていることを特徴とする分光装置。
【発明の詳細な説明】
【０００１】
【発明の属する技術分野】
本発明は、フォトニック結晶による光学素子、及びこの光学素子を用いた分光装置と集光装置に関するものである。
【０００２】
【従来の技術】
光回路などにおいては、微小かつ高性能な光学素子が必要とされる場合が多い。近年、このような微小光学素子にフォトニック結晶を用いる技術が広く研究されている。フォトニック結晶はフォトニックバンドギャップによる、入射方向に関わらない光の完全反射、異常分散による光の速度や方向の変化など極端な性質を持ち、光を制御するために都合の良い性質を数多く持つことが知られている。このようなフォトニック結晶及びその応用については、「フォトニック結晶研究の現状と将来展望、財団法人光産業技術振興会、２０００年３月」（非特許文献１）に記載されている。
【０００３】
また、特開２００１−９１７０１号公報（特許文献１）には、フォトニック結晶において、周期構造体の基本的な周期の方向の一つ以上を、空間的に徐々にないし緩やかな階段状に変化させること、又は、周期構造体の基本的な周期の一つ以上の長さを、空間的に徐々にないし緩やかな階段状に変化させることにより、１枚の基板において種々の波長域の光を透過させる干渉フィルタを製作したり、分光される中心波長が光の入射位置によって異なる導波型スーパープリズムを作成したりする技術、及び３次元フォトニクス結晶内において、同様の手法により曲がった導波路を形成する技術が開示されている。
【０００４】
【特許文献１】特開２００１−９１７０１号公報
【非特許文献１】「フォトニック結晶研究の現状と将来展望、財団法人光産業技術振興会、２０００年３月」
【０００５】
【発明が解決しようとする課題】
フォトニック結晶は、光に対して際立った性質を示すものの、通常のガラスや結晶による光学素子と同じく、機能を発揮するのは他の媒質との境界部分のみであり、フォトニック結晶内部では光は一定の速度で直進するだけである。このため、フォトニック結晶は光に対する精密な制御をするのには必ずしも適さない場合もある。例えば、分光素子を構成する場合、一定の入射角で異常な分散を示す波長の範囲は限られ、それ以外は通常の結晶と比べても分散が小さくなる場合が多い。従って、通常のフォトニック結晶で分光が可能なのは極狭帯域の分光に限られる。
【０００６】
また、フォトニック結晶は、通常の物質や他のフォトニック結晶との境界において、反射、散乱などによる損失が生じやすい。特に異常分散を生じるような場面においては損失が大きくなりがちであり、これらを回避するのは困難である。従って、フォトニック結晶を用いて光学系を構成する場合には、フォトニック結晶の表面をできる限り少なくする（すなわち、フォトニック結晶の数を少なくする）一方で、１つのフォトニック結晶の機能を高めることが重要となる。
【０００７】
また、前述の特許文献１に記載される技術は、１枚の基板において種々の波長域の光を透過させる干渉フィルタを製作したり、分光される中心波長が光の入射位置によって異なる導波型スーパープリズムの技術を開示しているものの、結晶の構造を変化させることにより、光の屈折角を波長によって異ならせ、フォトニック結晶内部において光の進行方向を制御する技術については、何も触れていない。
【０００８】
本発明はこのような事情に鑑みてなされたもので、光制御の機能を高めたフォトニック結晶による光学素子、及びこの光学素子を用いた分光装置、集光装置を提供することを課題とする。
【０００９】
【課題を解決するための手段】
前記課題を解決するための第１の手段は、少なくとも１軸方向に進むに従って、フォトニック結晶を構成する屈折率の異なる物質の構成比が徐々に変化するように構成されたフォトニック結晶を用いた光学素子（請求項１）である。
【００１０】
フォトニック結晶は、屈折率の異なる誘電体又は化合物半導体（一方は空気又は真空であってもよい）を用いて周期的構造を形成した結晶である。一般的に知られているものは、誘電体等の中に、周期的な穴を形成したものや、誘電体等を周期的に多層構造にしたものであるが、このようなものに限られるものではない。本手段は、２次元的又は３次元的な構造を有するフォトニック結晶において、少なくとも、その１軸方向に進むに従ってフォトニック結晶を構成する屈折率の異なる物質の構成比（単位堆積当たり）が徐々に変化するようにされている。
【００１１】
フォトニック結晶において、周期的である構造に変調を加えた場合、一般にはバンド構造は成立しなくなる。しかし、変調が微小である場合には、基本的なバンド構造自体は保たれ、これに微小な摂動が加わったような状態となる。このような状況下では、バンドの変化自体も微小であるため、結晶内での光は徐々に速度や進行方向を変えることになる。さらに、通常の媒質内で屈折率が連続的に変化した場合と同様、基本的には反射などによる損失は生じない。
【００１２】
このような光のふるまいは、光学ガラスに対するＧＲＩＮ（屈折率分布型）光学素子と対比することが可能である。通常の光学ガラスで構成された光学素子では、光がその進行方向を変化させるのは空気等他の媒質との境界部分のみであるが、ＧＲＩＮ光学素子では、光が媒質中でその進行方向を変化するため、集光などの機能を持つことができる。本発明の光学素子も原理としては同様であるが、フォトニック結晶のバンド変化による変調の効果はＧＲＩＮ素子における屈折率変化よりもはるかに大きい場合が多く、より劇的な効果を発揮させることが可能である。特に結晶中での光の曲げによる効果が期待できる。
【００１３】
このように、フォトニック結晶を構成する屈折率の異なる物質の構成比を徐々に変化させることによって、フォトニック結晶と他の物質の境界面だけでなく、フォトニック結晶内部においても、光の進行方向や透過率を波長によって変化させることができる。よって、フォトニック結晶と他の物質の境界面のみにおいて光の制御が可能であった従来の光学素子に無い、優位な特性を持った光学素子を得ることができる。
【００１４】
特許文献１においては、結晶構造の周期を変化させている、しかし、周期を変化させる場合、単位構造同士の相対位置がずれることによる悪影響が存在し得る。したがって、本手段のように結晶を構成する物質の構成比を変化させるのが最も好ましい。例えば円柱が規則的に配列した構造の２次元フォトニック結晶の場合、円柱の太さを変化させることにより、構成比を変化させることができる。
【００１５】
前記課題を解決するための第２の手段は、結晶内部を光が進行するに従って、結晶軸に対する光の進行方向が所定の変化を生じるように構成されたフォトニック結晶による光学素子（請求項２）である。
【００１６】
本手段においても、フォトニック結晶と他の物質の境界面のみにおいて光の制御が可能であった従来の光学素子に無い、優位な特性を持った光学素子を得ることができる。
【００１７】
前記課題を解決するための第３の手段は、前記第１の手段又は第２の手段を用いた分光装置（請求項３）である。
【００１８】
前述のように、前記第１の手段を用いれば、フォトニック結晶と他の物質の境界面だけでなく、フォトニック結晶内部においても、光の進行方向を波長によって変化させることができる。よって、この性質を利用すれば、微小な波長範囲の光に対して、大きな屈折角の変化を起こさせ、分解能良く分光を行うことができる。
【００１９】
前記課題を解決するための第４の手段は、結晶内部において、少なくとも１軸方向に進むに従って、構造が徐々に変化するように構成されたフォトニック結晶を用いた分光装置（請求項４）である。
【００２０】
フォトニック結晶を構成する屈折率の異なる物質の構成比のみならず、フォトニック結晶を構成する物質の形状、屈折率、構造の周期等を徐々に変化させることによっても、フォトニック結晶と他の物質の境界面だけでなく、フォトニック結晶内部においても、光の進行方向や透過率を波長によって変化させることができる。よって、フォトニック結晶と他の物質の境界面のみにおいて光の制御が可能であった従来の光学素子と異なり、結晶の内部においても、光の進行方向を波長に応じて変化させることができるので、高分解能の分光装置とすることができる。
【００２１】
なお、本手段は前記第３の手段と異なり、フォトニック結晶を構成する物質の形状、屈折率、構造の周期等を徐々に変化させている。これらのうち、結晶を構成する物質の形状を変化させる方法は、数μｍ以下の波長を対象とする場合には困難が伴い、屈折率を変化させる方法も精密な制御は難しい。また、前述のように、周期を変化させる場合、単位構造同士の相対位置がずれることよる悪影響が存在し得る。よって、本手段は、前記第３の手段に比して、実現に困難が伴うが、実施不可能なものではない。
【００２２】
前記課題を解決するための第５の手段は、前記第３の手段又は第４の手段であって、分光の対象となる光が前記フォトニック結晶に入射する方向と、前記１軸とのなす角が４５°以下とされていることを特徴とするもの（請求項５）である。
【００２３】
分光の対象となる光が入射する方向と、前記１軸とのなす角が４５°以下とされていると、分光の対象とする光の進行方向成分のうち、前記１軸方向を向いた成分が大きくなる。よって、前記１軸方向の結晶の変化の影響を大きく受けるようにすることができ、効率よく分光を行うことができる。
【００２４】
前記課題を解決するための第６の手段は、前記第１の手段又は第２の手段を用いた集光装置（請求項６）である。
【００２５】
前述のように、前記第１の手段又は第２の手段を用いれば、フォトニック結晶と他の物質の境界面だけでなく、フォトニック結晶内部においても、光の進行方向を波長によって変化させることができる。よって、この性質を利用すれば、フォトニック結晶の異なる位置に入射した光の光路を、フォトニック結晶内部で曲げて、集光を行うことができる。
【００２６】
前記課題を解決するための第７の手段は、結晶内部において、少なくとも１軸方向に進むに従って、構造が徐々に変化するように構成されたフォトニック結晶を用いた集光装置（請求項７）である。
【００２７】
前述のように、フォトニック結晶を構成する物質の、屈折率の異なる物質の構成比のみならず、フォトニック結晶を構成する物質の形状、屈折率、構造の周期等を徐々に変化させることによっても、フォトニック結晶と他の物質の境界面だけでなく、フォトニック結晶内部においても、光の進行方向や透過率を波長によって変化させることができる。よって、フォトニック結晶と他の物質の境界面のみにおいて光の制御が可能であった従来の光学素子と異なり、結晶の内部においても、光の進方向を波長に応じて変化させることができるので、高分解能の分光装置とすることができる。
【００２８】
なお、本手段は前記第６の手段と異なり、フォトニック結晶を構成する物質の形状、屈折率、構造の周期等を徐々に変化させている。これらのうち、結晶を構成する物質の形状を変化させる方法は、数μｍ以下の波長を対象とする場合には困難が伴い、屈折率を変化させる方法も精密な制御は難しい。また、前述のように、周期を変化させる場合、単位構造同士の相対位置がずれることよる悪影響が存在し得る。よって、本手段は、前記第６の手段に比して、実現に困難が伴うが、実施不可能なものではない。
【００２９】
前記課題を解決するための第８の手段は、前記第６の手段又は第７の手段であって、集光の対象となる光が前記フォトニック結晶に入射する方向と、前記１軸とのなす角が４５°以上とされていることを特徴とするもの（請求項８）である。
【００３０】
集光の対象となる光が前記フォトニック結晶に入射する方向と、前記１軸とのなす角を４５°以上としておけば、前記１軸方向に対して、入射する光の分散の度合いが大きくなる。よって、光の入射位置でのフォトニクス結晶の変化の度合いを大きくすることができ、光を効率的に集光することができる。
【００３１】
【発明の実施の形態】
以下、本発明の実施の形態の例を、図を用いて説明する。図１は、本発明の実施の形態の１例である光学素子を形成するフォトニック結晶の構造の概要を示す図である。このフォトニック結晶１は２次元構造を持ち、ＢＮ（窒化硼素）からなる媒質２中に正方格子状に円形の空気穴３が整列した形状をしている。紙面の左右方向にｘ軸、紙面の上下方向にｚ軸、紙面に垂直にｙ軸をとると、空気穴３は、フォトニック結晶１内のｙ軸方向に形成されている。
【００３２】
媒質２の屈折率、格子の周期などは一定であるが、空気穴３の大きさがｚ軸方向で徐々に変化している。このような２次元構造は、リソグラフィなどの手法により作成することができるため、構造を変化させることは比較的容易である。
【００３３】
図１に示すような構造のフォトニック結晶１を製造するには、例えば所定厚のＢＮ基板を用意し、その片面にレジスト層を形成する。そして、フォトリソグラフィにより、空気穴３を形成したい部分に対して、その穴の大きさに応じた露光を行い、レジストを現像して除去する。そして、残ったレジストをマスクとしてドライエッチングによりＢＮ基板をエッチングすると、高アスペクト比で、ＢＮ基板を貫通する空気穴３を形成することができる。その後、残ったレジストを除去して、図１に示すような構造のフォトニック結晶が完成する。
【００３４】
以下、このようなフォトニック結晶が有する性質を説明するが、以下の説明においては、穴の半径、光の振動数、光の波数は、格子定数ａにより規格化した値を用いる。すなわち、実際の穴の半径をｒ’、光の振動数をω’、光の波数をｋ’とすると、
半径としては　ｒ＝ｒ’／ａ、
光の振動数としては　ω＝ω’ａ／２πｃ
光の波数としてはｋ＝ｋ’／２πａ
を用いる。ただし、ｃは真空中の光速度である。
【００３５】
媒質としてＢＮを用いて、一様な円形の空気穴を正方格子状に形成したフォトニック結晶においては、媒質の屈折率ｎ＝２．１１７，　ｒ＝０．４，　ω＝０．６１という条件では、結晶への光の入射角が１０°付近で異常分散が生じる。このような構造が一様なフォトニック結晶に対して、入射角１０°で、振動数ωが０．６１、０．６２および０．６３の光線が入射した場合の、空気穴の大きさと光の進行方向（屈折角）との関係を図２に示す。
【００３６】
図２において、太い実線は入射角が１０°、ωが０．６１のとき、細い実線は入射角が１０°、ωが０．６２のとき、太い破線は入射角が１０°、ωが０．６３のときのものである。図２を見ると、ｒが同じでも、ωの違いによってフォトニック結晶中での光の進行方向、すなわち屈折角が異なり、光の分散が行われることが分かると同時に、ｒの相違によって、光の進行方向に大きな差が生じていることが分かる。
【００３７】
ｒによって、光の進行方向が大きく変化することを利用すれば、図１に示すように、ｒの大きさをｚ軸方向で徐々に変化させることにより、フォトニック結晶内においても、光の進行方向を波長に応じて変化させることが可能となる。このことを利用すれば、微小な波長範囲の光を大きな分光角で分光することが可能になる。
【００３８】
図１に示すような素子を用いて分光器を構成した例を図３に示す。ｒの最大値は０．４２５で、ｚ軸方向に進むにつれて小さくなっていく構造をしている。なお、図３は模式図であるので、実際のフォトニック結晶の構造の周期はこれよりもずっと小さい。入射光はｚ軸に対して入射角１０°で結晶に入射する。振動数０．６１付近の光４（波長λ１）は、結晶への入射時はほとんど直進するが、穴の大きさが小さくなるにつれて進行方向が変化していく。これに対して、振動数が大きくなるに従って、光の光路は５（波長λ２）、６（波長λ３）に示すように大きく屈曲するようになる。
【００３９】
結晶内の各点において光線が進む方向θは振動数ω、波数ｋのｘ成分ｋｘ、その位置での穴の大きさｒによって決まり、
θ（ω，ｋｘ，ｒ（ｚ））
のように表現できる。θの具体的な値については、フォトニック結晶のバンド解析を行うことにより、バンドの振動数一定での断面上の曲線の法線方向として求めることができる。その結果を使うと、光線は
【００４０】
【数１】
2004126208.tif 000003
【００４１】
という経路を通ることが分かる。この計算を行って求めた、振動数０．６１，　０．６２および０．６３の場合の光路を図４に示す。これは、穴の半径の変化量を
ｄｒ／ｄｚ＝−０．０００５
と一定値とした場合の値である。また、光線の入射位置を原点にとっている。
【００４２】
この構成では、結晶に入射した光線は波長に応じた異常分散部分で進行方向がｘ軸方向に大きく変化し、側面から出射することになる。通常のフォトニック結晶では、異常分散をおこす狭い範囲の振動数の光しか分光できないのに対し、この構成においては、光路中でバンド構造が変化するため、光路中のいずれかの部分で異常分散が起きる振動数の範囲であれば、分光を行うことが可能となる。例えば、入射直後（ｚ＝０，　ｒ＝０．４２５）の部分では、ω＝０．６１〜０．６２の振動数に対する分散は小さいが、ｒ＝０．４０〜０．４１（ｚ＝３０〜５０）では十分に分散が大きいため、この部分を通過させることにより、フォトニック結晶の大きさがさほど大きくなくてもこの範囲の振動数の光路を分離することができる。一方、ω＝０．６３付近の光はｒ＝０．３９（ｚ＝６０）付近になると、同振動数の他のバンドが出現するために分光を行う際の障害となってしまうが、ｒ＝０．４２付近での分散が大きく、進行方向のｘ成分が十分に大きくなるため、ｒ＝０．３９の領域まで到達せずに済む。
【００４３】
このように、構造が変化するフォトニック結晶を用いることにより、フォトニック結晶による分散素子のコンパクトさと高分散性を保ちつつ、対応波長範囲を広げることができる。さらに、ここでは構造の変化率を一定としたが、これを位置によって変えることにより、結晶出口での波長と位置の関係を変化させることも可能である。
【００４４】
図５に、本発明の実施の形態の１例である集光素子の模式図を示す。使用するフォトニック結晶の基本構成は前述の実施の形態の場合と基本的に同じである。ただし、図５に示すフォトニック結晶においては、空気穴３のサイズがｚ軸方向では同じであり、紙面のｘ軸の左側から右側へ行くに従って、その半径ｒが徐々に大きくなっている点が異なる。
【００４５】
図２には、入射角が１０°、ωがＯ．６１のときの関係を太い実線で示し、入射角が１５°、ωがＯ．６１のときの関係を細い破線で示している。双方のデータを比較すると分るように、入射角が小さいほど屈折角が大きくなり、ｒの値が小さいほど屈折角が大きくなるので、ｒの値が小さくなるにつれて入射角が小さくなると、その相乗効果により屈折角はさらに大きくなる。
【００４６】
このことから、図５のフォトニック結晶１に紙面のｚ軸の上側から光束を入射させると、光はフォトニック結晶内を進行するが、入射位置により結晶構造が異なるため、入射位置に応じて光の進行方向が変化する。
【００４７】
即ち、図５に示すように、相対的にｒの小さな空気穴３の位置に入射する光線７が、相対的にｒの大きな空気穴３の位置に入射する光線８の入射角に比べて小さくなるようないわゆる発散気味の光７、８をフォトニック結晶１に入射させると、光線７の屈折角は、光線８の屈折角にくらべて大きくなる。
【００４８】
したがって、光束を発散気味に入射させると両端の光線がある点で交差することになる。この現象は、入射角が一様でなければ、本発明の構造変化を伴うフォトニック結晶でなくても生じるが、本発明の構造変化を持つフォトニック結晶を用いることにより、収差補正に相当する作用を持たせることが可能になり、収束性能が向上する。結晶を出射後、光線は入射前と同じ向きに進行するため、収束後しばらくして光線が結晶から出るようにすれば、出射後の空間の点９で光線は再び集光する。
【００４９】
この場合の具体的な光線の経路は、
【００５０】
【数２】
2004126208.tif 000004
【００５１】
により計算できる。ただし、ｘ０はｚ＝０での光線のｘ座標である。ここでは、穴の径はｘの関数である。ある光線の経路ｘ（ｚ）に対し、入射角がわずかに変化した光線、すなわちｋｘが（ｋｘ＋δｋ）に変化した光線の経路は、
【００５２】
【数３】
2004126208.tif 000005
【００５３】
のようになる。
【００５４】
一方、入射位置がｘ０から（ｘ０＋δｘ）に変化した場合は、光線の経路は、
【００５５】
【数４】
2004126208.tif 000006
【００５６】
である。元の光線経路からの変位量をδ（ｚ）とし、ｘ２のｚによる微分を考えると、
【００５７】
【数５】
2004126208.tif 000007
【００５８】
となる。
これらを数値的に計算することにより、光線の経路を計算することができる。集光素子を構成するには、パラメータｋｘ、ｘ０が変化しても特定のｚ０における位置ｘ（ｚ）が変化しないように、すなわち、
【００５９】
【数６】
2004126208.tif 000008
【００６０】
となるような設計を行えばよい。ただし、ここで、ｋｘとｘ０は独立ではなく、入射光の位置、発散（収束）角、光束径などによって決まる関係を持っている。
【００６１】
異常分散部分で使用する場合、ｋｘの変化量と光路の変化量の比例関係はあまり期待できない。このため、特性がｘ０に依存しない通常のフォトニック結晶の場合は集光できる光束径は小さい。しかし、上記の式からも分かるように、両パラメータが変化したときの経路に与える影響は異なるので、構造の変化するフォトニック結晶を使用して両者を組み合わせるようにすれば、「収差」を除去することが可能となり、より広い範囲の入射光を集めることができるようになる。
【００６２】
以上の実施の形態においては、フォトニック結晶中における空気穴の直径を徐々に変化させたフォトニック結晶を光学素子として用いた分光装置、集光装置の例を示したが、フォトニック結晶における他の構造要素を徐々に変化させても、同様の効果が得られる。
【００６３】
【発明の効果】
以上説明したように、本発明によれば、光制御の機能を高めたフォトニック結晶による光学素子、及びこの光学素子を用いた分光装置、集光装置を提供することができる。
【図面の簡単な説明】
【図１】
本発明の実施の形態に使用するフォトニック結晶の構造の例を示す模式図であ
る。
【図２】
媒質の中に半径の等しい円筒状の空洞を格子状に形成したフォトニック結晶に
おける、空洞の半径と屈折角の関係の例を示す図である。
【図３】
図１に示すような素子を使用して構成した本発明の実施の形態である分光器を
示す模式図である。
【図４】
図３に示すような分光器における、フォトニック結晶中での各波長の光の光路
の例を示す図である。
【図５】
本発明の実施の形態の例である集光装置を示す模式図である。
【符号の説明】
１：フォトニック結晶
２：媒質
３：空気穴
４：波長の長い（λ１）光の光路
５：波長のやや長い（λ２）光の光路
６：波長の短い光（λ３）の光路
７：入射角の小さい光の光路
８：入射角の大きい光の光路
９：集光点
【図１】
2004126208.tif 000009
【図２】
2004126208.tif 000010
【図３】
2004126208.tif 000011
【図４】
2004126208.tif 000012
【図５】
2004126208.tif 000013